(57)【要約】【課題】電子メールに添付する画像を簡便に提供する。【解決手段】メール作成支援サーバ１３は、或る送信元からの受信メールに対する返信メールの作成を支援するものである。まず、通信端末１１は、或る送信元に関する返信対象の受信メールと過去の受信メールとをメール作成支援サーバ１３に送信する。メール作成支援サーバ１３は、メール取得部２０が返信対象の受信メールと過去の受信メールとを取得すると、関係解析部２１が、過去の受信メールの本文や添付画像を解析して、通信端末１１の利用者と送信元の通信端末の利用者との関係を判定する。判定結果に基づいて、画像検索部２４が返信メールの書式および添付画像の候補を検索する。検索した添付画像の候補は、候補送出部２７から通信端末１１に送信される。【選択図】図１
2008070984.tif 000002
【特許請求の範囲】
【請求項１】
メッセージの作成を支援するメッセージ作成支援装置であって、
或る送信元に関する特徴と、該送信元に送信する送信メッセージに関連する情報であるメッセージ関連情報とを対応付けた特徴関連対応情報を記憶する記憶部と、
上記送信元からの受信メッセージを取得する取得手段と、
取得した受信メッセージに関する情報を解析して、上記送信元に関する特徴を判定する判定手段と、
判定した上記送信元に関する特徴に対応するメッセージ関連情報を上記特徴関連対応情報から検索する検索手段とを備えることを特徴とするメッセージ作成支援装置。
【請求項２】
上記検索手段が検索したメッセージ関連情報に基づいて、上記送信メッセージを作成するメッセージ作成手段をさらに備えることを特徴とする請求項１に記載のメッセージ作成支援装置。
【請求項３】
情報を出力する出力部をさらに備えており、
上記判定手段は、判定した上記送信元に関する特徴を、上記出力部を介して出力することを特徴とする請求項１に記載のメッセージ作成支援装置。
【請求項４】
上記メッセージ関連情報は、上記送信メッセージに添付する画像情報であることを特徴とする請求項１に記載のメッセージ作成支援装置。
【請求項５】
上記送信元に関する特徴は、上記送信元からの受信メッセージにおける書式の傾向であり、
上記メッセージ関連情報は、上記送信メッセージの書式情報であることを特徴とする請求項１に記載のメッセージ作成支援装置。
【請求項６】
上記特徴関連対応情報は、上記受信メッセージの書式の傾向に関して、類似する上記送信メッセージの書式情報と、非類似である上記送信メッセージの書式情報とを含んでおり、
上記検索手段は、外部からの指示に基づいて、上記類似する送信メッセージの書式情報と、上記非類似である送信メッセージの書式情報との何れか一方を検索することを特徴とする請求項５に記載のメッセージ作成支援装置。
【請求項７】
請求項１ないし６の何れか１項に記載のメッセージ作成支援装置を動作させるための制御プログラムであって、コンピュータを上記各手段として機能させるための制御プログラム。
【請求項８】
請求項７に記載の制御プログラムが記録されたコンピュータ読取り可能な記録媒体。
【請求項９】
メッセージの作成を支援するメッセージ作成支援装置であって、或る送信元に関する特徴と、該送信元に送信する送信メッセージに関連する情報であるメッセージ関連情報とを対応付けた特徴関連対応情報を記憶する記憶部を備えるメッセージ作成支援装置の制御方法であって、
上記送信元からの受信メッセージを取得する取得ステップと、
取得した受信メッセージに関する情報を解析して、上記送信元に関する特徴を判定する判定ステップと、
判定した上記送信元に関する特徴に対応するメッセージ関連情報を上記特徴関連対応情報から検索する検索ステップとを含むことを特徴とするメッセージ作成支援装置の制御方法。
【発明の詳細な説明】
【技術分野】
【０００１】
本発明は、メッセージの作成を支援するメッセージ作成支援装置、その制御方法および制御プログラム、並びに該プログラムを記録した記録媒体に関するものである。具体的には、本発明は、電子メールに添付する画像を提供するメッセージ作成支援装置などに関するものである。
【背景技術】
【０００２】
現在、インターネット上に、電子メールに添付する画像をダウンロードできるサイトが存在する。当該サイトは、利用者の様々な要望に応えるために、多数の画像を記憶して上記利用者の端末に提供している。利用者が多数の画像の中から希望するものを見つけ易いように、上記サイトには画像検索手段を備えている場合が多い。該画像検索手段が行う画像検索の一般的な例としては、キーワード検索、絞込み検索などが挙げられる。しかしながら、検索対象の数が過度に多いと、これらの検索では画像を充分に絞込むことが困難である。
【０００３】
このような問題点に対し、例えば特許文献１には、イメージスキャナによって入力された希望画像がＰＣ（Personal Computer）から送信されてくると、サーバは、各レンタルフォトサイト上の画像を取り込み、この取り込んだ画像と希望画像を比較し、希望画像に類似する画像を検索し、その検索結果を画像希望者に提供する画像検索システムが開示されている。この画像検索システムによると、画像希望者は、取り込んだ画像のデータを送信するだけでよく、キーワードを検索しながら希望する画像を検索する必要もないので、画像検索を容易に行うことができる。
【特許文献１】特開２００３−２１６６４８号公報（２００３年７月３１日公開）
【特許文献２】特開２００５−１８２４００号公報（２００５年７月７日公開）
【特許文献３】特開２００１−０５６７９２号公報（２００１年２月２７日公開）
【特許文献４】特開平８−２１１８６０号公報（１９９６年８月２０日公開）
【発明の開示】
【発明が解決しようとする課題】
【０００４】
特許文献１のような検索方法は、画像希望者が、所望する画像の概要を確定させている場合には有効である。しかしながら、画像希望者は、画像を検索する場合に、所望する画像の概要を確定させているとは限らない。
【０００５】
例えば、日常的にやりとりするＨＴＭＬ（HyperText Markup Language）メールを作成する場合、「文字だけのメールでは素気無いから、何らかの画像を挿入してみよう」という簡単な動機から画像を検索することもある。このとき、特許文献１のような検索方法で画像を検索することは適当ではない。なぜなら、挿入すべき画像を検索するために、その画像の概要を考える必要が生じ、メールの作成に時間がかかることになるからである。
【０００６】
本発明は、上記の問題点に鑑みてなされたものであり、その目的は、電子メールに添付する画像などのメッセージ関連情報を簡便に提供できるメッセージ作成支援装置などを提供することにある。
【課題を解決するための手段】
【０００７】
本発明に係るメッセージ作成支援装置は、メッセージの作成を支援するメッセージ作成支援装置であって、上記課題を解決するために、或る送信元に関する特徴と、該送信元に送信する送信メッセージに関連する情報であるメッセージ関連情報とを対応付けた特徴関連対応情報を記憶する記憶部と、上記送信元からの受信メッセージを取得する取得手段と、取得した受信メッセージに関する情報を解析して、上記送信元に関する特徴を判定する判定手段と、判定した上記送信元に関する特徴に対応するメッセージ関連情報を上記特徴関連対応情報から検索する検索手段とを備えることを特徴としている。
【０００８】
また、本発明に係るメッセージ作成支援装置の制御方法は、メッセージの作成を支援するメッセージ作成支援装置であって、或る送信元に関する特徴と、該送信元に送信する送信メッセージに関連する情報であるメッセージ関連情報とを対応付けた特徴関連対応情報を記憶する記憶部を備えるメッセージ作成支援装置の制御方法であって、上記課題を解決するために、上記送信元からの受信メッセージを取得する取得ステップと、取得した受信メッセージに関する情報を解析して、上記送信元に関する特徴を判定する判定ステップと、判定した上記送信元に関する特徴に対応するメッセージ関連情報を上記特徴関連対応情報から検索する検索ステップとを含むことを特徴としている。
【０００９】
ここで、送信元に関する特徴の例としては、送信元の通信端末の利用者と送信先の通信端末の利用者との関係（例えば家族、知人など）、送信元からの受信メッセージにおける書式の傾向などが挙げられる。また、メッセージ関連情報の例としては、送信メッセージの内容、送信メッセージの書式、送信メッセージに添付するファイルの内容などが挙げられる。
【００１０】
上記の構成および方法によると、送信元からの受信メッセージを取得し、取得した受信メッセージに関する情報を解析して、送信元に関する特徴を判定し、判定した送信元に関する特徴に対応するメッセージ関連情報を特徴関連対応情報から検索している。これにより、送信元からの受信メッセージを利用して、送信元に関する特徴に対応するメッセージ関連情報を検索できるので、或る要求元が上記メッセージ関連情報を要求する場合に、上記メッセージ関連情報を検索するための種々の条件をメッセージ作成支援装置に提供する必要がない。したがって、上記メッセージ関連情報を簡便に提供することができる。
【００１１】
なお、メッセージ作成支援装置は、或る利用者からの要求に基づいて実行してもよいし、メッセージを受信する度に実行してもよい。また、受信メッセージは、外部から取得してもよいが、記憶部に記憶されている場合、記憶部から取得してもよい。また、受信メッセージは、上記送信元が過去に送信した過去に送信された複数のメッセージであることが、解析を精度よく行う上でも望ましい。
【００１２】
本発明に係るメッセージ作成支援装置では、上記検索手段が検索したメッセージ関連情報に基づいて、上記送信メッセージを作成するメッセージ作成手段をさらに備えてもよい。この場合、上記メッセージ関連情報を要求する要求元にてメッセージを作成する手間を省くことができる。
【００１３】
本発明に係るメッセージ作成支援装置では、情報を出力する出力部をさらに備えており、上記判定手段は、判定した上記送信元に関する特徴を、上記出力部を介して出力することが好ましい。ここで、出力部の出力としては、表示出力、印刷出力、外部記録媒体への記録、外部装置への送信など、任意の出力形態を利用することができる。上記の構成によると、送信元に関する特徴が外部に出力されるので、送信元に関する特徴を別途利用することができる。例えば、メッセージ関連情報を要求する要求元に、送信元に関する特徴を送信することにより、要求元は、メッセージ関連情報と送信元に関する特徴とに基づいて送信メッセージを作成することができる。
【００１４】
なお、上述のように、画像の検索には時間と手間とがかかることから、本発明を画像の検索に適用することが好ましい。具体的には、本発明に係るメッセージ作成支援装置では、上記メッセージ関連情報は、上記送信メッセージに添付する画像情報であることが好ましい。
【００１５】
また、本発明に係るメッセージ作成支援装置では、上記送信元に関する特徴は、上記送信元からの受信メッセージにおける書式の傾向であり、上記メッセージ関連情報は、上記送信メッセージの書式情報であってもよい。
【００１６】
なお、送信メッセージの書式は、受信メッセージの書式に関して、類似させたい場合もあれば、類似させたくない場合もある。そこで、本発明に係るメッセージ作成支援装置では、上記特徴関連対応情報は、上記受信メッセージの書式の傾向に関して、類似する上記送信メッセージの書式情報と、非類似である上記送信メッセージの書式情報とを含んでおり、上記検索手段は、外部からの指示に基づいて、上記類似する送信メッセージの書式情報と、上記非類似である送信メッセージの書式情報との何れか一方を検索することが好ましい。
【００１７】
なお、上記メッセージ作成支援装置における各手段を、制御プログラムによりコンピュータ上で機能させることができる。さらに、上記制御プログラムをコンピュータ読取り可能な記録媒体に記憶させることにより、任意のコンピュータ上で上記制御プログラムを実行させることができる。
【発明の効果】
【００１８】
以上のように、本発明に係るメッセージ作成支援装置は、送信元からの受信メッセージを利用して、送信元に関する特徴に対応するメッセージ関連情報を検索できるので、或る要求元が上記メッセージ関連情報を要求する場合に、上記メッセージ関連情報を検索するための種々の条件をメッセージ作成支援装置に提供する必要が無く、したがって、上記メッセージ関連情報を簡便に提供することができる。
【発明を実施するための最良の形態】
【００１９】
本発明の一実施形態について、図１〜図９を参照して説明する。図２は、本実施形態のメール作成支援システムの概略構成を示している。メール作成支援システム１０は、或る通信端末１１にて受信した電子メール（メッセージ）である受信メールに対する返信メールの作成を支援するものである。
【００２０】
図２に示されるように、メール作成支援システム１０は、１または複数の通信端末１１と、メール作成支援サーバ（メッセージ作成支援装置）１３とが、通信ネットワーク１２を介して通信可能に接続した構成である。
【００２１】
通信端末１１は、通信ネットワーク１２を介してメール作成支援サーバ１３に各種の要求を送信するものである。そして、メール作成支援サーバ１３は、上記要求に対する情報を、通信ネットワーク１２を介して通信端末１１に送信するものである。
【００２２】
本実施形態では、通信端末１１は、或る送信元からの受信メールに対する返信メールを作成するための支援をメール作成支援サーバ１３に要求する。このとき、通信端末１１は、返信対象の受信メールと、上記送信元から過去に受信した一部または全部の受信メール（以下、「過去の受信メール」と称する。）とを、メール作成支援サーバ１３に送信する。
【００２３】
一方、メール作成支援サーバ１３は、上記要求に基づいて、上記返信メールの本文、背景、添付画像などの各種要素の候補を、要求元の通信端末１１に送信する。そして、要求元の通信端末１１は、メール作成支援サーバ１３からの各種要素の候補を選択することにより、上記返信メールを容易に作成することができる。
【００２４】
なお、通信端末１１は、通信を行うための通信部、表示を行うための表示部、操作を行うための操作部などを備える周知の通信端末と同様の構成であるため、その詳細を省略する。このような通信端末１１の例としては、ＰＣ、ＰＤＡ（Personal Digital Assistant）、携帯電話端末などが挙げられる。
【００２５】
また、通信ネットワーク１２には、インターネット、ＬＡＮ（Local Area Network）など、公知の通信ネットワークを利用することができる。また、通信ネットワーク１２に利用される通信回線には、公衆通信回線、専用線、ＩＳＤＮ（Integrated Services Digital Network）など、公知の通信回線を利用することができる。
【００２６】
図１は、メール作成支援サーバ１３の概略構成を示している。図示のように、メール作成支援サーバ１３は、通信部（出力部）１４、制御部１５、および記憶部１６を備える構成である。なお、図１では、メール作成支援サーバ１３と通信端末１１との間の通信ネットワーク１２を省略している。
【００２７】
通信部１４は、通信ネットワーク１２を介して、通信端末１１とデータ通信を行うためのものである。制御部１５は、メール作成支援サーバ１３における各部の動作を統括的に制御するものであり、例えばＰＣベースのコンピュータによって構成される。そして、各部の動作制御は、制御プログラムをコンピュータに実行させることによって行われる。記憶部１６は、各種の情報を記憶するものであり、例えばハードディスク装置などの不揮発性の記録媒体によって構成される。
【００２８】
次に、制御部１５および記憶部１６の詳細について説明する。制御部１５は、メール取得部（取得手段）２０、関係解析部（判定手段）２１、書式解析部（判定手段）２２、テキスト解析部（判定手段）２３、画像検索部（検索手段）２４、書式検索部（検索手段）２５、文章検索部（検索手段）２６、および候補送出部（メール作成手段）２７を備える構成である。また、記憶部１６は、メール記憶部３０、解析用辞書ＤＢ（database）３１、画像ＤＢ（特徴関連対応情報）３２、書式対応テーブル（特徴関連対応情報）３３、および返信文ＤＢ（特徴関連対応情報）３４を含んでいる。さらに、記憶部１６は、後述するように各種のテーブルを記憶している。
【００２９】
メール記憶部３０は、通信端末１１から取得した電子メールを記憶している。また、解析用辞書ＤＢ３１は、形態素解析を行う場合に必要となる単語解析ルールを記憶している。ここで、形態素解析とは、文章を形態素（単語）単位に分割することをいう。なお、形態素に、絵文字や顔文字（フェースマーク）を含めてもよい。また、形態素解析の詳細については、例えば特許文献２に記載されているので、本願ではその説明を省略する。
【００３０】
画像ＤＢ３２は、メールに添付される画像のデータと、該画像に関連する情報とを対応付けて記憶している。書式対応テーブル３３は、受信メールの書式と返信メールの書式とを対応付けて記憶している。返信文ＤＢ３４は、返信メールの本文に記載し得る返信文のデータを分類して記憶している。
【００３１】
メール取得部２０は、通信端末１１から通信部１４を介して電子メールを取得するものである。メール取得部２０は、取得した電子メールをメール記憶部３０に記憶する。
【００３２】
本実施形態では、或る通信端末１１が、或る送信元からの受信メールに対する返信メールを作成するための支援をメール作成支援サーバ１３に要求する場合、メール取得部２０は、上記送信元に関する返信対象の受信メールと過去の受信メールとを、要求元の通信端末１１から取得する。メール取得部２０は、取得した過去の受信メールを関係解析部２１および書式解析部２２に送出する一方、取得した返信対象の受信メールをテキスト解析部２３に送出する。なお、過去の受信メールに返信対象の受信メールを含むこともできる。
【００３３】
なお、本実施形態では、電子メールとしてＨＴＭＬメールを利用している。ＨＴＭＬメールは、電子メールのメッセージ部分をＨＴＭＬ形式で記述したものであり、文字の大きさや太さを設定したり、文字どうしの間に画像を表示させたり、メッセージの背景に種々の色や画像を表示させたりすることができる。したがって、ＨＴＭＬメールは、単純なテキスト形式の電子メールに比べて豊かな表現が可能となる。なお、図形と文字とで構成されるその他の記述形式の電子メールを利用してもよい。
【００３４】
関係解析部２１は、メール取得部２０から受け取った過去の受信メールの本文や添付画像を、解析用辞書ＤＢ３１および画像ＤＢ３２を用いて解析して、通信端末１１の利用者と上記送信元の通信端末（図示せず）の利用者との関係（以下、「対象関係」と称する。）を判定するものである。関係解析部２１は、上記対象関係の判定結果を画像検索部２４に送出する。なお、関係解析部２１は、上記対象関係の判定結果を、通信部１４を介して要求元の通信端末１１に送信してもよい。
【００３５】
書式解析部２２は、メール取得部２０から受け取った過去の受信メールにおける書式の傾向を解析するものである。書式解析部２２は、解析結果を書式検索部２５に送出する。なお、書式解析部２２は、上記解析結果を、通信部１４を介して要求元の通信端末１１に送信してもよい。
【００３６】
書式検索部２５は、書式解析部２２の解析結果に基づいて、上記返信メールの書式を書式対応テーブル３３から検索するものである。書式検索部２５は、検索した書式を画像検索部２４および候補送出部２７に送出する。
【００３７】
画像検索部２４は、関係解析部２１からの判定結果と、書式検索部２５からの検索結果とに基づいて、上記返信メールに添付する画像を画像ＤＢ３２から検索するものである。画像検索部２４は、検索した画像を候補送出部２７に送出する。
【００３８】
テキスト解析部２３は、メール取得部２０から受け取った返信対象の受信メールにおけるテキスト部分を、解析用辞書ＤＢ３１を用いて解析するものである。テキスト解析部２３は、解析結果を文章検索部２６に送出する。
【００３９】
文章検索部２６は、テキスト解析部２３からの解析結果に基づき、返信対象の受信メールに対応する返信文を返信文ＤＢ３４から検索するものである。文章検索部２６は、検索した返信文を候補送出部２７に送出する。
【００４０】
候補送出部２７は、画像検索部２４が検索した画像と、書式検索部２５が検索した書式と、文章検索部２６が検索した返信文とを返信メールの候補として、通信部１４を介して要求元の通信端末１１に送信するものである。なお、上記候補が複数個存在する場合には、候補送出部２７は、複数の上記候補を一括して送信してもよいし、通信端末１１からの指示に基づいて逐次送信してもよい。
【００４１】
次に、上記構成のメール作成支援システム１０における動作を、図３を参照して説明する。図３は、メール作成支援システム１０における通信端末１１およびメール作成支援サーバ１３の処理動作を示している。図示のように、まず、通信端末１１は、或る送信元に関する返信対象の受信メールと過去の受信メールとをメール作成支援サーバ１３に送信する（ステップＳ１０。以下、単に「Ｓ１０」と記載することがある。他のステップについても同様である。）。
【００４２】
一方、メール作成支援サーバ１３は、メール取得部２０にて返信対象の受信メールと過去の受信メールとを取得すると（Ｓ２０）、関係解析部２１にて過去の受信メールの本文や添付画像を解析して上記対象関係を判定する（Ｓ２１）。また、メール作成支援サーバ１３は、書式解析部２２にて過去の受信メールの書式を解析して、上記送信元からの受信メールにおける書式の傾向を判定する（Ｓ２１）。次に、メール作成支援サーバ１３は、これらの判定結果に基づいて、画像検索部２４および書式検索部２５にて上記返信メールの書式および添付画像の候補を検索する（Ｓ２２）。
【００４３】
また、メール作成支援サーバ１３は、テキスト解析部２３にて返信対象の受信メールの本文を解析して（Ｓ２３）、文章検索部２６にて該本文に対応する返信文の候補を検索する（Ｓ２４）。そして、メール作成支援サーバ１３は、検索した返信文、書式、および添付画像の候補を候補送出部２７から通信端末１１に送信する（Ｓ２５）。その後、メール作成支援サーバ１３の処理動作を終了する。
【００４４】
一方、通信端末１１は、受信した返信文、書式、および添付画像の候補を表示し、利用者に選択または編集を行わせることにより、上記返信メールを作成する（Ｓ１１）。通信端末１１は、完成した返信メールを上記送信元に送信する（Ｓ１２）。その後、通信端末１１の処理動作を終了する。
【００４５】
なお、上記返信メールの作成をメール作成支援サーバ１３が行ってもよい。この場合、メール作成支援サーバ１３は、通信端末１１からの指示に基づき、返信文、書式、および添付画像を選択して、返信メールを作成し、作成した返信メールを上記送信元に送信することになる。
【００４６】
したがって、本実施形態のメール作成支援システム１０は、送信元からの過去の受信メールを利用して、上記対象関係や受信メールの書式の傾向を判定し、これらの判定結果を利用して、返信メールの書式および添付画像の候補を検索して提供している。これにより、該検索において、検索のための種々の条件を要求元の通信端末１１から取得する必要がないので、返信メールの書式および添付画像の候補を簡便に提供することができる。
【００４７】
次に、メール作成支援サーバ１３における制御部１５の詳細について、図４〜図９を参照して説明する。
【００４８】
図４は、関係解析部２１の詳細を示している。図示のように、関係解析部２１は、画像ＩＤ取得部４０、画像内容解析部４１、形態素解析部４２、文章内容解析部４３、および判定部４４を備える構成である。また、関係解析部２１は、記憶部１６の解析用辞書ＤＢ３１、画像ＤＢ３２、および判定用対応テーブル３５を利用している。
【００４９】
解析用辞書ＤＢ３１は、上述のように、形態素解析を行う場合に必要となる単語解析ルールを記憶している。また、解析用辞書ＤＢ３１は、解析された形態素の幾つかと親密度の増減値とが対応付けられている。ここで、親密度は、通信端末１１の利用者と上記送信元の通信端末の利用者との親密さを評価するための数値である。
【００５０】
図５は、画像ＤＢ３２に記憶されている各種情報の一例を示している。図示のように、画像ＤＢ３２は、画像ＩＤ、親密度の増減値、対象関係、主要色、および関連画像を対応付けて記憶している。ここで、画像ＩＤは、画像ＤＢ３２に含まれる画像の識別情報である。主要色は、画像に使用されている主要な色を示すものである。関連画像は、関連のある画像を画像ＩＤで示すものである。
【００５１】
図６は、判定用対応テーブル３５に記憶されている各種情報の一例を示している。図示のように、判定用対応テーブル３５は、親密度の合計値と対象関係とを対応付けて記憶している。
【００５２】
図４に戻ると、画像ＩＤ取得部４０は、上記過去の受信メールに添付されている添付画像から画像ＩＤを取得するものである。画像ＩＤを取得する方法としては、添付画像のデータに含まれているものを抽出する方法や、添付画像と画像ＤＢ３２に記憶されている画像とのマッチングを行い、一致または類似する画像の画像ＩＤを画像ＤＢ３２から読み出す方法などが挙げられる。画像ＩＤ取得部４０は、取得した画像ＩＤを画像内容解析部に送出する。
【００５３】
画像内容解析部４１は、上記添付画像の内容から上記対象関係を評価するものである。具体的には、画像内容解析部４１は、画像ＤＢ３２を参照して、画像ＩＤ取得部４０からの画像ＩＤに対応する親密度の増減値を取得するものである。図５の例では、画像ＩＤが「Ａ」である場合、親密度の増減値として「＋２」を取得することになる。画像内容解析部４１は、取得した親密度の増減値を判定部４４に送出する。
【００５４】
形態素解析部４２は、上記過去の受信メールの本文について、形態素解析を行うものである。形態素解析部４２は、解析結果を文章内容解析部４３に送出する。なお、形態素解析部４２は、上記本文において、重要な箇所を認識し、当該箇所を形態素解析の主な対象としてもよい。例えば、日本語において比較的重要度の高い「漢字」や「熟語」の箇所を形態素解析部４２が認識して、当該箇所を重点的に解析してもよい。この場合、形態素解析の対象を絞り込むことができるので、形態素解析の処理を効率的に行うことができる。
【００５５】
文章内容解析部４３は、上記本文の内容から上記対象関係を評価するものである。具体的には、文章内容解析部４３は、解析用辞書ＤＢ３１を参照して、形態素解析部４３からの形態素に対応する親密度の増減値を取得するものである。例えば、文章内容解析部４３は、上記形態素が「ありがとう」である場合、親密度の増減値として「＋１」を取得することになり、上記形態素が「嫌い」である場合、親密度の増減値として「−５」を取得することになる。文章内容解析部４３は、取得した親密度の増減値を判定部４４に送出する。
【００５６】
判定部４４は、上記対象関係を判定するものである。具体的には、判定部４４は、画像内容解析部４１および文章内容解析部４３からの親密度の増減値を積算して親密度の合計値を求め、判定用対応テーブル３５を参照して、親密度の合計値に対応する対象関係を取得するものである。例えば、親密度の合計値が１５０である場合、図６に示される判定用対応テーブル３５を参照して、上記対象関係は「友人」であると判定される。判定部４４は、判定結果を画像検索部２４に送出する。
【００５７】
なお、判定部４４は、親密度の合計値または判定結果を、通信部１４を介して通信端末１１に送信してもよい。この場合、要求元の通信端末１１の利用者は、送信元の通信端末の利用者との関係を客観的に判断する指標を得ることができる。また、判定部４４は、親密度の合計値を他の装置に送信してもよい。例えば、判定部４４が親密度の合計値を公知の相性占いの装置に送信すると、相性占いの装置は、受信した親密度の合計値を利用して、より精度の高い占いを実現することができる。
【００５８】
図７は、書式解析部２２および書式検索部２５の詳細を示している。図示のように、書式解析部２２は、背景色判定部２２ａを備える構成である。また、書式検索部２５は、書式問合せ部４５および書式設定部４６を備える構成である。また、書式検索部２５は、記憶部１６の書式対応テーブル３３を利用している。
【００５９】
書式解析部２２は、上述のように、メール取得部２０から受け取った過去の受信メールにおける書式の傾向を解析するものである。この書式の例としては、背景の色、文字の状態、添付画像の状態、などが挙げられる。また、文字の状態の例としては、色、大きさ（ピクセル）、書体（フォント）、絵文字の使用、顔文字の使用などが挙げられる。また、添付画像の状態の例としては、色の傾向（主要色）、大きさなどが挙げられる。
【００６０】
背景色判定部２２ａは、上記過去の受信メールにおける背景色の傾向を判定するものである。この判定は、基本的な色判断の技術（例えば特許文献４を参照。）を用いて行うことができる。背景色判定部２２ａは、判定結果を書式設定部４６に送出する。なお、書式解析部２２は、その他の書式を判定する構成をさらに備えることもできる。この場合、上記過去の受信メールにおける書式をより詳細に解析することができる。
【００６１】
書式問合せ部４５は、書式解析部２２が解析した上記過去の受信メールにおける書式に上記返信メールの書式を類似させるか否かを、通信部１４を介して通信端末１１に問い合せるものである。なお、問合せの形式としては任意の形式を利用することができる。書式問合せ部４５は、問合せ結果を書式設定部４６に送出する。
【００６２】
書式対応テーブル３３には、或る色に対し、類似の色と、非類似の色とが記憶されている。例えば、赤系統の色に対し、類似の色として「赤系統の色」が記憶され、非類似の色として「緑系統の色」が記憶されることが挙げられる。また、ビビッドトーンに対し、類似の色として「ブライトトーン」が記憶され、非類似の色として「グレイッシュトーン」が記憶されることが挙げられる。
【００６３】
書式設定部４６は、書式解析部２２からの解析結果と、書式問合せ部４５からの問合せ結果とに基づき、書式対応テーブル３３を参照して、上記返信メールの書式を設定するものである。書式設定部４６は、設定した書式を画像検索部２４および候補送出部２７に送出する。
【００６４】
例えば、背景色判定部２２ａによって「背景色が赤である」と判定され、書式問合せ部４５の問合せ結果が「類似」である場合、書式設定部４６は、上記返信メールの背景色を「赤系統」に設定する。また、上記返信メールの添付画像は、背景から際立たせるために、背景色と非類似の色とすることが望ましい。そこで、書式設定部４６は、上記返信メールの添付画像の色を「緑系統」に設定する。なお、「青系統」に設定してもよい。
【００６５】
図８は、画像検索部２４の詳細を示している。図示のように、画像検索部２４は、関係解析用画像検索部４７および書式設定用画像検索部４８を備える構成である。関係解析用画像検索部４７および書式設定用画像検索部４８は、記憶部１６の画像ＤＢ３２を利用している。
【００６６】
関係解析用画像検索部４７は、関係解析部２１が判定した上記対象関係に対応する画像ＩＤを画像ＤＢ３２から検索する。関係解析用画像検索部４７は、検索した画像ＩＤを候補送出部２７に送出する。例えば、関係解析部２１が上記対象関係を「友人」と判定した場合、関係解析用画像検索部４７は、図５に示される画像ＤＢ３２において、対象関係として「友人」を含む画像ＩＤを取得して、候補送出部２７に送出する。
【００６７】
書式設定用画像検索部４８は、書式検索部２５が検索した書式に対応する画像ＩＤを画像ＤＢ３２から検索する。書式設定用画像検索部４８は、検索した画像ＩＤを候補送出部２７に送出する。例えば、書式検索部２５が、上記返信メールの添付画像の色を「緑系統」に設定した場合、書式設定用画像検索部４８は、図５に示される画像ＤＢ３２において、主要色として「緑」を含む画像ＩＤを取得して、候補送出部２７に送出する。
【００６８】
なお、画像検索部２４は、関係解析部２１が判定した上記対象関係と、書式検索部２５が検索した書式との両方に該当する画像ＩＤを画像ＤＢ３２から検索して候補送出部２７に送出してもよい。また、要求元の通信端末１１からの指示により、関係解析用画像検索部４７および書式設定用画像検索部４８の何れか一方のみを機能させてもよい。
【００６９】
図９は、テキスト解析部２３および文章検索部２６の詳細を示している。図示のように、テキスト解析部２３は、形態素解析部５０を備える構成である。また、文章検索部２６は、候補文検索部５１および文章編集部５２を備える構成である。テキスト解析部２３は、上述のように、記憶部１６の解析用辞書ＤＢ３１を利用している。また、文章検索部２６は、上述のように、記憶部１６の返信文ＤＢ３４を利用している。さらに、文章検索部２６は、記憶部１６の候補文対応テーブル３６を利用している。
【００７０】
テキスト解析部２３の形態素解析部５０は、上記返信対象の受信メールの本文について、解析用辞書ＤＢ３１を利用して形態素解析を行うものである。例えば、「いつもありがとう」という文章の場合、「いつも」（副詞）と「ありがとう」（動詞）とに分割される。形態素解析部５０は、解析結果を文章検索部２６に送出する。
【００７１】
返信文ＤＢ３４は、返信メールの本文に記載し得る返信文のデータを分類して記憶している。例えば、返信文群ａには、「どういたしまして」、「気にしないで」などといった、お礼や詫びの言葉に対して、それを穏やかに打ち消す返事の文章が複数個含まれている。候補文対応テーブル３６は、形態素と返信文群および単語とを対応付けて記憶している。例えば、形態素「ありがとう」に対して、上記返信文群ａが対応付けられている。なお、候補文対応テーブル３６には、形態素に対して絵文字や顔文字を対応付けてもよい。この場合、返信メールに絵文字または顔文字を含むことができるので、返信メールに感情表現を付加することができる。
【００７２】
候補文検索部５１は、形態素解析部５０からの形態素に対応する返信文群の情報を、候補文対応テーブル３６から検索するものである。候補文検索部５１は、検索した返信文群の情報を文章編集部５２に送出する。
【００７３】
文章編集部５２は、候補文検索部５１からの返信文群の情報と記憶部１６の返信文ＤＢ３４とを利用して、返信メールの文章を編集するものである。文章編集部５２は、編集した文章を候補送出部２７に送出する。
【００７４】
具体的には、文章編集部５２は、まず、候補文検索部５１からの返信文群の情報に基づき、返信文ＤＢ３４から返信文群を検索する。次に、通信部１４を介して通信端末１１に問い合せることにより、検索した返信文群の中から返信文を選択させる。そして、選択させた返信文を組み合わせて、返信メールの文章を作成する。
【００７５】
なお、受信メールの本文に対応する返信メールの本文を作成する手法の詳細は、例えば特許文献３に記載されているので、本願ではその説明を省略する。
【００７６】
〔実施例１〕
次に、制御部１５における処理動作の一例を説明する。例えば、関係解析部２１が対象関係を「友人」と判定し、書式解析部２２が送信元の背景色の傾向を「赤色」と判定したとする。また、書式検索部２５の書式問合せ部４５にて、返信対象の受信メールの書式と返信メールの書式との関係として「類似」が選択されたとする。
【００７７】
この場合、画像検索部２４の関係解析用画像検索部４７は、関係解析部２１が判定した「友人」を画像ＤＢ３２から検索して、画像Ｂ・Ｅを取得する。一方、書式検索部２５の書式設定部４６は、返信メールの背景色として「赤色」に設定し、添付画像の色として「緑色」に設定する。これにより、画像検索部２４の書式設定用画像検索部４８は、書式設定部４６が設定した「緑色」を画像ＤＢ３２から検索して、画像Ｂ・Ｄを取得する。
【００７８】
したがって、候補送出部２７は、返信メールの添付画像として、関係解析用画像検索部４７が検索した画像と、書式設定用画像検索部４８が検索した画像との両方に該当する画像である画像Ｂを選択する。そして、候補送出部２７は、添付画像が画像Ｂであり、背景色が赤色であるメールを、返信メールの候補として通信端末１１に送信することになる。
【００７９】
〔実施例２〕
次に、制御部１５における処理動作の他の例を説明する。例えば、送信元と要求元の通信端末１１とが、サッカーをテーマにしてメールをやりとりしている場合、これらのメールに添付される画像は、サッカーに関連した画像である可能性が高い。本実施例は、このような状況での実施に適している。
【００８０】
例えば、関係解析部２１が対象関係を「友人」と判定したとする。また、本実施例では、図１０に示される電子メールが返信対象の受信メールであるとする。図示の受信メールでは、画像Ａが添付され、「ありがとう！」の文字が、大きなサイズ、赤色、かつポップ体で記載されている。これにより、書式解析部２２が、返信対象の受信メールにおける書式として、背景色が「白色」であり、文字の色が「赤色」であり、文字の大きさが「大」であり、書体が「ポップ体」であり、かつ、添付画像が「画像Ａ」であると判定できる。また、書式検索部２５の書式問合せ部４５にて、返信対象の受信メールの書式と返信メールの書式との関係として「類似」が選択されたとする。
【００８１】
この場合、画像検索部２４の関係解析用画像検索部４７は、関係解析部２１が判定した「友人」を画像ＤＢ３２から検索して、画像Ｂ・Ｅを取得する。一方、書式検索部２５の書式設定部４６は、返信メールの文字の色として「赤色」に設定し、文字の大きさとして「大」を設定し、かつ、添付画像として「緑色」と「画像Ａの関連画像」に設定する。これにより、画像検索部２４の書式設定用画像検索部４８は、書式設定部４６が設定した「緑色」を画像ＤＢ３２から検索して、画像Ｂ・Ｄを取得すると共に、書式設定部４６が設定した「画像Ａの関連画像」を画像ＤＢ３２から検索して、画像Ｂ・Ｃ・Ｄを取得する。
【００８２】
したがって、候補送出部２７は、返信メールの添付画像として、関係解析用画像検索部４７が検索した画像と、書式設定用画像検索部４８が検索した画像との両方に該当する画像である画像Ｂを選択する。さらに、候補送出部２７は、選択した画像Ｂを、書式設定部４６が設定した文字の大きさに合わせて拡大してもよい。そして、候補送出部２７は、添付画像が画像Ｂの拡大したものであり、文字の色が赤色であるメールを、返信メールの候補として通信端末１１に送信することになる。
【００８３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００８４】
例えば、本実施形態では、送信元からの受信メールについて解析を行っていたが、それに限らず、上記受信メールに対する返信メールのように、要求元からの過去の送信メールについて解析を行ってもよい。
【００８５】
具体的には、まず、メール取得部２０が、要求元の通信端末１１から通信部１４を介して、上記過去の送信メールを取得する。次に、取得した過去の送信メールを、書式解析部２２が上記受信メールと同様に解析し、解析の結果に基づいて、書式検索部２５が上記過去の送信メールに対応する、色、文章などの書式を検索する。そして、検索した書式の情報を、候補送出部２７が通信部１４を介して要求元の通信端末１１に送信する。一方、要求元の通信端末１１は、受信した書式の情報に基づいて送信メールを作成する。
【００８６】
この場合、或る宛先に対して、常に同じ様な書式で送信メールを送信することができる。例えば、或る宛先に過去に送信した送信メールが「こんにちは（＾0＾）／、Ａ子です。（以下本文略）さようなら」である場合、今回の返信メールも「こんにちは（＾0＾）／、Ａ子です。（以下、今回の本文略）さようなら」とすることができ、例えば「こんにちは！（以下、今回の本文略）Ａ子でした！」等のように、送信の度に送信メールの書式が変化することを防止できる。その結果、上記宛先の通信端末の利用者は、上記要求元の通信端末１１からの送信メールが常に同じような書式であり、該書式に慣れ親しむことができるので、上記送信メールの内容を自然に読み進むことができる。
【００８７】
また、送信元の人物が送信先の人物に抱く感情は、送信先の人物が送信元の人物に抱く感情と異なる場合がある。例えば、送信元の人物は送信先の人物に好意を持っているが、送信先の人物は送信元の人物に無関心である場合がある。この場合、関係解析部２１が判定する対象関係は、上記受信メールと上記送信メールとで異なることになる。
【００８８】
したがって、上記過去の送信メールを関係解析部２１が解析して上記対象関係を判定し、判定した対象関係に基づいて文章検索部２６が返信文ＤＢ３４から文章を検索することにより、要求元の通信端末１１の利用者に適した返信メールを作成することができる。
【００８９】
また、上記実施形態におけるメール作成支援サーバ１３は、通信端末１１が受信メールを受け取るためのメールボックスを有するメールサーバであってもよい。上記メールボックスに受信メールを蓄積しておけば、通信端末１１は、上記送信元に関する返信対象の受信メールと過去の受信メールとをメール作成支援サーバ１３に送信する代わりに、上記送信元のメールアドレスを送信すればよい。この場合、メール作成支援サーバ１３のメール取得部２０は、通信端末１１から受信したメールアドレスに対応する受信メールを上記メールボックスから取得することになる。同様に、メール作成支援サーバ１３は、上記メールボックスに、通信端末１１からの送信メールを蓄積してもよい。
【００９０】
さらに、メール作成支援サーバ１３は、宛先のメールアドレスを、利用者が所望するメールアドレスに変更して、利用者が所望する別のメールサーバに電子メールを転送する機能を有してもよい。
【００９１】
さらに、メール作成支援サーバ１３は、電子メールを受信する度に、関係解析部２１の関係解析と書式解析部２２の書式解析とを行い、解析結果を送信元および送信先のメールアドレスとに対応付けて記憶部１６に保存してもよい。この場合、上記関係解析および書式解析を行うために、過去の受信メールを記憶部１６に長期間保存しておく必要が無くなるので、サーバの負担を軽減することができる。
【００９２】
また、上記実施形態では、関係解析部２１の解析結果と書式解析部２２の解析結果とに基づいて、書式検索部２５の書式検索と画像検索部２４の画像検索とを行っているが、さらに、キーワード検索、絞込み検索などの公知の検索手段を利用してもよい。この場合、書式および画像をさらに効果的に絞り込むことができる。なお、公知の検索手段で或る程度絞り込んだ上で、上記書式検索および上記画像検索を行ってもよい。
【００９３】
また、上記実施形態では、関係解析部２１は、親密度を用いて上記対象関係を判定しているが、「趣味」、「丁寧さ」などのその他の要素を複合的に用いて上記対象関係を判定してもよい。この場合、上記対象関係をより精度よく判定することができる。
【００９４】
ところで、携帯電話システムのように、電子メールで送信可能なデータ量が制限されている場合がある。そこで、返信文その他のデータ量を考慮して、画像検索部２４が画像を検索したり、候補送出部２７が画像を縮小したりしてもよい。例えば、送信可能なデータ量から返信文その他のデータ量を減算したデータ量を、添付可能な画像のデータ量として、画像検索部２４が画像を検索することが考えられる。この場合、携帯電話システムで頻繁に発生する電子メールの送信失敗を防止することができる。
【００９５】
また、上記実施形態では、メール作成支援サーバ１３は、図５に示されるような画像ＤＢ３２を記憶部１６に予め含んでいるが、通信端末１１から画像とその関連情報とを受信して、画像ＤＢ３２に追加できるようにしてもよい。この場合、解析および検索を実行できる画像の数を増やすことができる。
【００９６】
なお、上記実施形態では、電子メールを例に説明しているが、本発明は、情報伝達を目的とし、始めと終りが明確に規定されたデータである任意のメッセージに対して適用することができる。
【００９７】
最後に、メール作成支援サーバ１３の各ブロック、特に制御部１５は、ハードウェアロジックによって構成してもよいし、次のようにＣＰＵを用いてソフトウェアによって実現してもよい。
【００９８】
すなわち、メール作成支援サーバ１３は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるメール作成支援サーバ１３の制御プログラムのプログラムコード（実行形式プログラム、中間コードプログラム、ソースプログラム）をコンピュータで読み取り可能に記録した記録媒体を、上記メール作成支援サーバ１３に供給し、そのコンピュータ（またはＣＰＵやＭＰＵ）が記録媒体に記録されているプログラムコードを読み出し実行することによっても、達成可能である。
【００９９】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１００】
また、メール作成支援サーバ１３を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１０１】
本発明は、送信元からの受信メッセージを利用して、送信元に関する特徴に対応するメッセージ関連情報を検索できるので、添付画像だけでなく、音声ファイル、テンプレートファイル、文書ファイルなど、種々の添付ファイルの検索に適用できる。
【図面の簡単な説明】
【０１０２】
【図１】本発明の一実施形態であるメール作成支援システムにおけるメール作成支援サーバの概略構成を示すブロック図である。
【図２】上記メール作成支援システムの概略構成を示すブロック図である。
【図３】上記メール作成支援システムの処理動作を示すフローチャートである。
【図４】上記メール作成支援サーバの制御部における関係解析部の詳細を示すブロック図である。
【図５】上記メール作成支援サーバの記憶部における画像ＤＢに記憶されている各種情報の一例を表形式で示す図である。
【図６】上記記憶部における判定用対応テーブルに記憶されている各種情報の一例を表形式で示す図である。
【図７】上記制御部における書式解析部および書式検索部の詳細を示すブロック図である。
【図８】上記制御部における画像検索部の詳細を示すブロック図である。
【図９】上記制御部におけるテキスト解析部および文章検索部の詳細を示すブロック図である。
【図１０】返信対象の受信メールの一例を示す図である。
【符号の説明】
【０１０３】
１０    メール作成支援システム
１３    メール作成支援サーバ（メッセージ作成支援装置）
１４    通信部（出力部）
１６    記憶部
２０    メール取得部（取得手段）
２１    関係解析部（判定手段）
２２    書式解析部（判定手段）
２３    テキスト解析部（判定手段）
２４    画像検索部（検索手段）
２５    書式検索部（検索手段）
２６    文章検索部（検索手段）
２７    候補送出部（メール作成手段）
３２    画像ＤＢ（特徴関連対応情報）
３３    書式対応テーブル（特徴関連対応情報）
３４    返信文ＤＢ（特徴関連対応情報）
【図１】
2008070984.tif 000003
【図２】
2008070984.tif 000004
【図３】
2008070984.tif 000005
【図４】
2008070984.tif 000006
【図５】
2008070984.tif 000007
【図６】
2008070984.tif 000008
【図７】
2008070984.tif 000009
【図８】
2008070984.tif 000010
【図９】
2008070984.tif 000011
【図１０】
2008070984.tif 000012